(57)【特許請求の範囲】
【請求項１】
洗い場床および洗い場排水口を洗浄する洗い場洗浄装置であって、
洗浄水を吐水する吐水部と、
前記吐水部を制御する制御部と、
を備え、
前記制御部は、
前記吐水部から洗浄水が吐水される前記洗い場床上の吐水領域を変化させて、前記洗い場床の全体に洗浄水を吐水する床吐水モードと、
前記床吐水モードよりも狭い範囲で前記吐水領域を変化させて、前記洗い場排水口およびその近傍のみに洗浄水を吐水する排水口集中吐水モードと、
を備えていることを特徴とする洗い場洗浄装置。
【請求項２】
前記吐水部に供給される洗浄水に除菌成分を混入させて除菌水を生成する除菌水生成部を備え、
前記排水口集中吐水モードは、前記吐水領域を複数回、往復移動させて除菌水を吐水することを特徴とする請求項１記載の洗い場洗浄装置。
【請求項３】
前記排水口集中吐水モードは、前記床吐水モードよりも前記吐水領域の移動速度を高くして、除菌水を吐水することを特徴とする請求項２記載の洗い場洗浄装置。
【請求項４】
前記排水口集中吐水モードは、そのモード途中で、前記吐水部からの除菌水の吐水を一時停止させることを特徴とする請求項２または３に記載の洗い場洗浄装置。
【発明の詳細な説明】
【技術分野】
【０００１】
本発明の態様は、一般的に、洗い場洗浄装置に関する。
【背景技術】
【０００２】
例えば、浴室の洗い場床や、洗い場床に設けられた排水口（排水トラップ）には、人体の洗浄に使用された石鹸やシャンプーなどのかす、人体から発生したアカ（タンパク質系、炭水化物系、油脂系、塩類等）などの汚れが付着する。このような汚れを洗浄、または、汚れに起因した細菌を除菌する洗浄装置が提案されている。この洗浄装置においては、吐水部から洗浄水（水道水、除菌水または殺菌水）を吐水することにより、洗い場床や排水口を洗浄することができる。
【０００３】
例えば、特許文献１には、浴室の洗い場及び排水口に殺菌水を流して、洗い場床面上および排水口における細菌の発生を抑制する浴室殺菌システムが開示されている。特許文献１において、吐水部は、回転によって洗浄水の吐水方向を変化させることで洗い場床の全体に向けて洗浄水を吐水する。その後、吐水部は、回転を停止させた状態で洗浄水を排水口近傍へ集中的に吐水する（排水口集中吐水モード）。これにより、洗い場床上を経由せず、汚れを含んでいないフレッシュな洗浄水が排水口に供給されるため、排水口を効率的に洗浄することができる。
【先行技術文献】
【特許文献】
【０００４】
【特許文献１】特開２００９−２１９５６５号公報
【発明の概要】
【発明が解決しようとする課題】
【０００５】
浴室の洗い場床には、サイズなどに関して多種の床タイプが存在する。床タイプが変わると、吐水部と排水口との相対的位置関係も変化する。床タイプによっては、吐水部から直接排水口に洗浄水を吐水できない場合がある。吐水部と排水口との相対的位置関係が変化する場合の対応として、例えば、吐水部の回転を停止させた状態で、排水口を含む広い範囲に洗浄水を吐水する方法が考えられる。しかし、この方法では、広い範囲に同時に洗浄水を吐水するため、大流量の洗浄水が必要となる。洗浄水の種類（例えば次亜塩素酸含有水）によっては、大流量の洗浄水を生成することが困難な場合もあるため、吐水部の回転を停止させた状態で洗浄水を広範囲に吐水する方法は好ましくない。また、別の方法として、床サイズに合うように、床サイズごとに吐水部の動作制御を調整する方法も考えられる。しかし、この方法では、調整作業が必要になるとともに、吐水部の組み立て誤差などがあると洗浄水の吐水方向がずれるため、排水口の一部に洗浄水が直接吐水されない恐れもある。このように、排水口集中吐水モードを多種の床タイプに対応させようとすると、排水口の一部に洗浄水を直接吐水できない、という課題が発生する。
【０００６】
本発明は、かかる課題の認識に基づいてなされたものであり、排水口集中吐水モードを多種の床タイプに対応させた場合であっても、排水口の全体に洗浄水を直接吐水することが可能な洗い場洗浄装置を提供することを目的とする。
【課題を解決するための手段】
【０００７】
第１の発明は、洗い場床および洗い場排水口を洗浄する洗い場洗浄装置であって、洗浄水を吐水する吐水部と、前記吐水部を制御する制御部と、を備え、前記制御部は、前記吐水部から洗浄水が吐水される前記洗い場床上の吐水領域を変化させて、前記洗い場床の全体に洗浄水を吐水する床吐水モードと、前記床吐水モードよりも狭い範囲で前記吐水領域を変化させて、前記洗い場排水口およびその近傍のみに洗浄水を吐水する排水口集中吐水モードと、を備えていることを特徴とする洗い場洗浄装置である。
【０００８】
この洗い場洗浄装置によれば、排水口集中吐水モード時に、吐水領域を変化させて洗浄水を吐水するようにしたため、洗い場床のサイズに応じて吐水部と排水口との相対位置が変化した場合でも、洗浄水を排水口の全体へ直接吐水することができる。これにより、多種の床タイプ（例えば床サイズ）に対しても、洗い場床を経由していないフレッシュな洗浄水を排水口の全体に満遍なく直接吐水することができる。
【０００９】
第２の発明は、第１の発明において、前記吐水部に供給される洗浄水に除菌成分を混入させて除菌水を生成する除菌水生成部を備え、前記排水口集中吐水モードは、前記吐水領域を複数回、往復移動させて除菌水を吐水することを特徴とする洗い場洗浄装置である。
【００１０】
この洗い場洗浄装置によれば、排水口集中吐水モードにおいて、吐水領域を複数回、往復移動させながら、除菌水（洗浄水）を吐水することにより、吐水部が同じ量の除菌水を１往復で吐水する場合に比べて、除菌水を効率的に排水口に滞留させることができる。これにより、除菌水が菌に作用する時間を確保することができ、より少ない洗浄水量で排水口を効率的に洗浄することができる。
【００１１】
第３の発明は、第２の発明において、前記排水口集中吐水モードは、前記床吐水モードよりも前記吐水領域の移動速度を高くして、除菌水を吐水することを特徴とする洗い場洗浄装置である。
【００１２】
この洗い場洗浄装置によれば、排水口集中吐水モード時は吐水領域を高速移動させることにより、床吐水モードよりも水膜が形成されるまでの時間を長くできる。従って、除菌水（洗浄水）を長時間、排水口に滞留させることができる。これにより、洗い場床に比べて排水勾配が急な排水口に対しても、より少ない量の除菌水で排水口を効率的に洗浄することができる。
【００１３】
第４の発明は、第２または第３の発明において、前記排水口集中吐水モードは、そのモード途中で、前記吐水部からの除菌水の吐水を一時停止させることを特徴とする洗い場洗浄装置である。
【００１４】
この洗い場洗浄装置によれば、途中で除菌水の吐水を一時停止させることにより、一時停止させずに同じ洗浄水量を吐水する場合に比べて、除菌水を効率的に排水口に滞留させることができる。これにより、より少ない洗浄水量で排水口を効率的に洗浄することができる。
【発明の効果】
【００１５】
本発明の態様によれば、排水口集中吐水モードを多種の床タイプに対応させた場合であっても、排水口の全体に洗浄水を直接吐水することが可能な洗い場洗浄装置が提供される。
【図面の簡単な説明】
【００１６】
【図１】図１（ａ）および図１（ｂ）は、実施形態に係る洗い場洗浄装置が設置された浴室を表す斜視図である。
【図２】図２（ａ）及び図２（ｂ）は、実施形態に係る洗い場洗浄装置の吐水部を例示する側面図である。
【図３】実施形態に係る洗い場洗浄装置による、洗い場床の洗浄を例示する平面図である。
【図４】図４（ａ）〜図４（ｉ）は、浴室の床タイプを例示する平面図である。
【図５】実施形態に係る洗い場洗浄装置における、床洗浄モード候補の選択を例示する概念図である。
【図６】図６（ａ）及び図６（ｂ）は、実施形態に係る洗い場洗浄装置における、床タイプ設定確認モードを例示する平面図である。
【図７】実施形態に係る洗い場洗浄装置における、動作確認モードを例示する平面図である。
【図８】実施形態に係る洗い場洗浄装置による、排水口の洗浄を例示する平面図である。
【図９】図９（ａ）〜図９（ｆ）は、排水口集中吐水モードにおける排水口を例示する平面図である。
【図１０】図１０（ａ）および図１０（ｂ）は、実施形態に係る洗い場洗浄装置における床洗浄モードを例示する平面図である。
【発明を実施するための形態】
【００１７】
以下、本発明の実施の形態について図面を参照しつつ説明する。なお、各図面中、同様の構成要素には同一の符号を付して詳細な説明は適宜省略する。
【００１８】
図１（ａ）および図１（ｂ）は、実施形態に係る洗い場洗浄装置が設置された浴室を表す斜視図である。  
実施形態に係る洗い場洗浄装置１００は、吐水部１０と、吐水部１０の動作を制御する制御部３０と、を有する。洗い場洗浄装置１００は、吐水部１０から洗浄水を吐水して、浴室の洗い場床５２０および洗い場排水口５２１（以下、排水口５２１）を洗浄する洗浄装置である。
【００１９】
図１（ａ）に表したように、洗い場洗浄装置１００が設置される浴室５００には、第１〜第４の壁５４１〜５４４、浴槽５１０、洗い場床５２０およびカウンタ５３０が設けられている。さらに、浴室５００には、鏡、給水栓、シャワーホースなどが適宜設けられている。図１（ｂ）は、カウンタ５３０の近傍を拡大した斜視図である。
【００２０】
浴槽５１０は、洗い場床５２０からみて第４の壁５４４側に設けられている。例えば、浴槽５１０は、第４の壁５４４と接するように配置される。洗い場床５２０は、浴槽５１０と第３の壁５４３との間に設けられている。
【００２１】
洗い場床５２０は、周囲に立設された壁面５４０に囲まれている。ここで「壁面」とは、第１〜第４の壁５４１〜５４４だけでなく、浴槽５１０の側面も含む。この例では、洗い場床５２０を囲む壁面５４０は、第１〜第３の壁５４１〜５４３および浴槽５１０の側面である。なお、第１〜第４の壁５４１〜５４４は、浴室のドアなどを含んでいてもよい。
【００２２】
本願明細書において、第２の壁５４２から第１の壁５４１へ向かう方向を「前方」とし、これと反対の方向を「後方」とする。また、前後方向および上下方向に対して垂直な方向を横方向とする。
【００２３】
洗い場床５２０には、排水口５２１が設けられている。排水口５２１は、洗い場床５２０の前後方向における中央付近であって、洗い場床５２０の浴槽５１０側の端に設けられている。洗い場床５２０には、排水口５２１へ向かって緩やかに下る排水勾配が設けられている。
【００２４】
カウンタ５３０、鏡、給水栓およびシャワーホースは、第２の壁５４２に取り付けられている。また、図１（ｂ）に表したように、カウンタ５３０は、天板５３１と下カバー５３２とを有する。
【００２５】
カウンタ５３０は、洗い場床５２０から上方に離間して配置されている。支持材（不図示）が第２の壁５４２に取り付けられ、カウンタ本体は、この支持材に取り付けられている。カウンタ５３０は、上方から見たときに、横方向に長い略矩形状である。
【００２６】
吐水部１０は、カウンタ５３０の下部であって、洗い場床５２０から離間した位置に設けられている。また、吐水部１０は、洗い場床５２０の横方向における中央付近に設置されている。これにより、洗浄水を洗い場床５２０の全体に吐水しやすくなる。
【００２７】
浴室５００の外部（例えば第２の壁５４２の後方）には、給水管５１が設けられており、給水管５１から洗い場洗浄装置１００に水道水が供給される。そして、吐水部１０は、吐水制御手段１８を介して、給水管５１と接続されている。
【００２８】
吐水制御手段１８には、例えば、上流側（給水管５１側）から順に、不図示のストレーナ、電磁弁、調圧弁、逆止弁および除菌水生成部等が設けられている。電磁弁、調圧弁等によって、下流側（吐水部１０側）への水道水の供給（流量や水圧など）が調整される。
【００２９】
除菌水生成部は、吐水部１０に供給される洗浄水に除菌成分を混入させて除菌水を生成する。例えば、除菌水生成部は、陽極と陰極とを有する電解槽である。除菌水生成部は、陽極と陰極との間に電圧を印加して、陽極と陰極との間を流れる水道水を電気分解する。これにより、除菌水生成部は、水道水を変性して除菌水を生成する。
【００３０】
除菌水は、例えば、次亜塩素酸を含む水である。水道水は、塩化物イオンを含んでいるため、その塩化物イオンを電気分解することによって、次亜塩素酸が生成される。その結果、電気分解された水は、次亜塩素酸を含む液に変化する。
【００３１】
除菌水は、金属イオン水（例えば、銀イオン、銅イオンまたは亜鉛イオンなどの金属イオンを含む水）またはオゾンを含む水であってもよい。例えば、水道水が電気分解される際、陰極においては酸（Ｈ＋）が消費され、陰極の近傍ではｐＨが上昇する。すなわち、陰極の近傍では、アルカリ水が生成される。一方、陽極においてはアルカリ（ＯＨ−）が消費され、陽極の近傍ではｐＨが下降する。すなわち、陽極の近傍では、酸性水が生成される。除菌水生成部における流量を変化させることで、除菌水に含まれる成分の濃度を制御することができる。
【００３２】
なお、除菌水生成部は、電解槽に限定されるわけではない。例えば、除菌水は、除菌剤を水道水に溶解させて生成された除菌水であってもよい。また、実施形態において、洗い場洗浄装置１００は、必ずしも除菌水生成部を有していなくてもよいし、吐水に際して除菌水生成部を動作させなくてもよい。すなわち、洗い場洗浄装置１００は、水道水を吐水してもよい。
【００３３】
以上により、吐水部１０に除菌水又は水道水が供給される。そして、吐水部１０は、洗浄水として除菌水又は水道水を、洗い場床５２０や排水口５２１へ向けて吐水する。これにより、洗い場床５２０や排水口５２１を洗浄することができる。
【００３４】
また、吐水部１０には、モータ１７が設けられている。モータ１７は、例えばステッピングモータである。モータ１７によって吐水部１０を回転させて、洗浄水が吐水される方向を変化させることができる。
【００３５】
制御部３０は、例えば、マイコンなどの集積回路である。制御部３０は、例えば、浴室５００の外部に設けられており、吐水制御手段１８（電磁弁、除菌水生成部）及び吐水部１０（モータ１７）と接続されている。制御部３０は、吐水制御手段１８および吐水部１０の動作を制御することで、洗浄水の吐水形態（吐水方法、撒き方）を制御することができる。
【００３６】
例えば、吐水制御手段１８は、制御部３０からの信号に基づいて、電磁弁の開閉を行う。これにより、下流側への水道水の供給が制御される。また、吐水制御手段１８は、制御部３０からの信号に基づいて、除菌水生成部（電解槽）のＯＮ／ＯＦＦを切り替える。吐水部１０は、制御部３０からの信号に基づいて、回転角度や回転速度を変化させる。このようにして制御部３０は、除菌水の濃度、吐水される洗浄水の瞬間流量（単位時間当たりの流量ｍ３／ｓ）、吐水される洗浄水の総量、および、洗浄水の吐水方向などの吐水方法を制御することができる。
【００３７】
また、図１（ａ）に表したように、制御部３０と接続された操作部３５（選択操作部）が、浴室５００の外側（又は内側）に設けられる。洗い場洗浄装置１００の使用者は、この操作部３５を用いることにより、洗い場洗浄装置の動作を操作することができる。
【００３８】
図２（ａ）及び図２（ｂ）は、実施形態に係る洗い場洗浄装置の吐水部を例示する側面図である。これらは、吐水部１０が洗浄水を吐水する様子を表している。また、図２（ｂ）は、図２（ａ）の吐水部１０の近傍を拡大して表している。
【００３９】
吐水部１０は、第１の吐水口１１と、第２の吐水口１２と、を有し、各吐水口から洗浄水が吐水される。第１の吐水口１１は、洗い場床５２０のうち吐水部１０から遠い範囲を受け持つ遠方用吐水口である。第２の吐水口１２は、洗い場床５２０のうち吐水部１０から近い範囲を受け持つ近傍用吐水口である。図２（ｂ）に表したように、除菌水は、第１の吐水口１１および第２の吐水口１２から上下方向に広がって、吐水される。
【００４０】
また、吐水部１０は、モータ１７の動作により、回転軸１０ｘを中心として回転しながら吐水することができる。回転軸１０ｘは、鉛直方向に延び、上方から見たときに吐水部１０の略中央に位置する。
【００４１】
吐水部１０の回転角度に応じて第１の吐水口１１および第２の吐水口１２の向きが変化する。これにより、洗浄水が吐水される洗い場床５２０上の部位（吐水領域）を変えることができ、洗い場床５２０の略全体に洗浄水を撒くことができる。
【００４２】
なお、回転軸１０ｘが延びる方向は、鉛直方向に限られない。また、吐水部１０は、スライド動作（例えばカウンタ５３０の長手方向に沿った往復移動）可能であってもよい。吐水部１０は、スライド動作、又は、吐水する洗浄水の流量の変化によって、吐水領域を変化させる構成であってもよい。
【００４３】
また、吐水口の形状によって、吐水される洗浄水の形態を調整することができる。例えば、洗浄水が除菌水の場合には、吐水口の径を小さくして除菌水を霧状とする。霧状の除菌水は、洗い場床上に滞留しやすいため、除菌水が洗い場床上の菌に作用する時間を確保することができる。これにより、より少ない量の除菌水で、洗い場床を除菌することができる。
【００４４】
図３は、実施形態に係る洗い場洗浄装置による、洗い場床の洗浄を例示する平面図である。  
制御部３０は、吐水部１０の動作を制御して、洗い場を洗浄する本洗浄モードを実行する。本洗浄モードには、洗い場床５２０を洗浄する床洗浄モード（床吐水モード）と、排水口５２１を洗浄する排水口集中吐水モードと、が含まれる。図３は、床洗浄モードにおける吐水部１０の動作を表している。なお、排水口集中吐水モードについては、図８に関して後述する。
【００４５】
本洗浄モード中のある時刻において、吐水部１０は、洗い場床５２０上の一部の領域（吐水領域）に洗浄水を吐水する。例えば、ある時刻において、吐水部１０は、図３に示す吐水方向Ａに向けて洗浄水を吐水する。このとき、吐水された洗浄水は、扇状または三角形状の広がり２１０を有し、その広がり２１０に対応した床の一部（吐水領域）に洗浄水が撒かれる。なお、上方から見て、扇状又は三角形状の広がり２１０の中心角を二等分する方向として吐水方向を定義している。
【００４６】
床洗浄モードにおいて、制御部３０は、吐水領域を変化させて、洗い場床５２０の全体に洗浄水を吐水する。この例では、制御部３０は、吐水部１０（吐水方向Ａ）を角度θ１回転させながら洗浄水を吐水する。角度θ１は、例えば、１８０°以上３６０°以下程度である。これにより、洗い場床５２０の略全体に洗浄水が吐水される。  
なお、本洗浄モードにおいて、吐水部１０の回転は断続的であってもよい。すなわち、回転と、回転の停止と、を繰り返すことで、吐水部１０を合計で角度θ１回転させてもよい。この場合、吐水部１０は、回転の停止中にも洗浄水を吐水する。
【００４７】
洗い場床５２０の汚れ易さや除菌水の流れ易さは、洗い場床５２０の部位によって異なることがある。そこで、床洗浄モードにおいて、吐水部１０の回転角度（洗浄水が吐水される方向）に応じて、洗浄水の吐水方法（撒き方）を変化させながら洗い場床５２０の略全体に洗浄水を吐水する。これにより、洗い場床５２０の部位に応じて最適な吐水を行うことができ、より少ない量の洗浄水で効率的に洗い場床５２０を洗浄することができる。なお、洗い場床５２０の部位に応じて洗浄水の撒き方を変える制御の具体例については、図１０に関して後述する。
【００４８】
ところで、洗い場床には、ＬＲ違い、ノズル位置違い、サイズ違いなど多種の床タイプが存在する。  
図４（ａ）〜図４（ｉ）は、浴室の床タイプを例示する平面図である。  
図４（ａ）及び図４（ｂ）は、床タイプのＬＲ違いを表す。図４（ａ）では、排水口５２１は、洗い場床５２０の長手方向に延在する縁部５２０ａ及び５２０ｂのうち、縁部５２０ａに隣接するように設けられている。図４（ｂ）では、排水口５２１は、縁部５２０ｂと隣接するように設けられている。すなわち、床タイプには、吐水部１０からみて右側に排水口５２１が配置されるタイプ（Ｒタイプと称する）と、吐水部１０からみて左側に排水口５２１が配置されるタイプ（Ｌタイプと称する）と、がある。ＬＲ違いによって、洗い場床５２０上の排水勾配の方向が異なる。
【００４９】
図４（ｃ）〜図４（ｅ）は、床タイプのノズル位置違いを表す。これらの例では、排水口５２１は、縁部５２０ａに隣接するように設けられている。  
そして、図４（ｃ）では、吐水部１０（ノズル）は、横方向において、洗い場床５２０の中央からみて縁部５２０ａ側に配置されている（左ノズルタイプと称する）。  
図４（ｄ）では、吐水部１０は、横方向において、洗い場床５２０の中央付近に設けられている（中央ノズルタイプと称する）。  
図４（ｅ）では、吐水部１０は、横方向において、洗い場床５２０の中央から見て縁部５２０ｂ側に配置されている（右ノズルタイプと称する）。  
このように、多種の床タイプには、洗い場床５２０上における吐水部１０の位置が互いに異なるタイプが含まれる。
【００５０】
図４（ｆ）〜図４（ｉ）は、床タイプのサイズ違いを表す。これらの例では、排水口５２１は縁部５２０ａに隣接するように設けられており、吐水部１０は横方向において洗い場床５２０の中央付近に設けられているが、洗い場床５２０の大きさが互いに異なる。このように、多種の床タイプには、洗い場床５２０のサイズが互いに異なるタイプが含まれる。
【００５１】
図４（ａ）〜図４（ｉ）に関して説明したように、浴室の洗い場床には多種の床タイプが存在し、床タイプが変わると、吐水部１０と洗い場床５２０の各部位との相対的位置関係も変化する。このため、洗い場床５２０の部位に応じて洗浄水の撒き方を変える制御が、予め一通りに定まっている場合には、その制御を多種の床タイプに対応させることができない。
【００５２】
これに対して、実施形態においては、制御部３０は、多種の洗い場床に対応するために、複数の床洗浄モード候補（シーケンス）を予め記憶している。複数の床洗浄モード候補は、所定の吐水領域（吐水部１０の所定の回転角度）に対する洗浄水の吐水方法において、互いに異なる。例えば、複数の床洗浄モード候補は、洗い場床５２０のＬＲ違いに応じて定められたシーケンス、及び、ノズル位置違い（洗い場床５２０又はカウンタ５３０に対する吐水部１０の配置違い）に応じて定められたシーケンス、を選択肢として含む。  
この例では、複数の床洗浄モード候補は、ＬＲ違い（Ｌタイプ用およびＲタイプ用の２種類）と、ノズル位置違い（左ノズルタイプ用、中央ノズルタイプ用および右ノズルタイプ用の３種類）と、の組み合わせに応じて６つのシーケンスを含む。複数の床洗浄モード候補は、洗い場床５２０のサイズ違いに応じて定められたシーケンスを選択肢として含まない。
【００５３】
そして、使用者（洗い場洗浄装置１００を浴室へ設置する現場作業者）は、操作部３５を用いて、複数の床洗浄モード候補の中から１つを選択することができる。選択された１つが、図３に関して説明した床洗浄モードとして決定される。
【００５４】
図５は、実施形態に係る洗い場洗浄装置における、床洗浄モード候補の選択を例示する概念図である。  
例えば、現場作業者が、操作部３５に設けられた停止ボタンを長押しすることによって制御部３０は、選択モードを実行する。選択モードにおいて、現場作業者は、操作部３５に設けられた洗浄ボタンを押すことで、複数の床洗浄モード候補の中から１つを選択することができる。
【００５５】
選択モードにおいて、洗浄ボタンが押されると床洗浄モードの設定がリセットされ、洗浄ボタンを押した回数に応じて複数の床洗浄モード候補（シーケンス）のいずれかが選択及び設定される。これにより、現場の床タイプに応じて、床洗浄モードを設定することができる。
【００５６】
このように、実施形態においては、予め記憶されている複数の床洗浄モード候補の中から１つを選択して床洗浄モードを決定することにより、吐水部の回転角度に応じて洗浄水（除菌水）の撒き方を変える制御を、多種の床タイプに対応させることができる。
【００５７】
また、現場作業者が床洗浄モード候補を現場で選択することができるため、工場などにおける事前の設定を不要とすることができる。洗い場洗浄装置１００の出荷の際には、多種の床タイプに対して共通の制御部３０をセットしておけばよい。床タイプに応じた制御部３０の設定を予め工場で行う場合には設定ミスや同梱ミス等による再発注が必要となる場合があるが、制御部３０の設定を現場で行えば、このような問題は生じない。
【００５８】
ここで、操作部３５を用いて複数の床洗浄モード候補から１つを選択するときに、現場で作業者が迷わないように、床洗浄モード候補の数を極力少なくすることが好ましい。前述した通り、床タイプには、ＬＲ違い、サイズ違い、ノズル位置違いなどがあり、全ての組み合わせに対して床洗浄モード候補を予め定めると、床洗浄モード候補の数が膨大になり、現場での選択作業が大変になる。
【００５９】
本願発明者らが検討した結果、洗い場床５２０の部位に応じて洗浄水の撒き方を変える制御を行う上で、ＬＲ違い及びノズル位置違いは、洗浄効率に大きな影響を及ぼすが、サイズ違いによる影響は、比較的小さいことが分かった。そこで、上記の例では、洗浄効率に与える影響が比較的小さく、且つ、床洗浄モード候補の数が膨大になる大きな要因であるサイズ違いを選択肢として考慮しないようにしている。これにより、候補数が少なくなり、現場での選択作業性を高めることができる。
【００６０】
なお、図５に関して説明した、選択モードにおける停止ボタン及び洗浄ボタンの操作は一例であり、実施形態はこれに限らない。選択モードに関する操作は、洗い場洗浄装置１００の施工説明書に記載される。これにより、制御部３０が多種の洗い場床に対応するために複数の洗浄モード候補を予め記憶していること、および、複数の床洗浄モード候補から床洗浄モードを選択する操作の方法を確認できる。
【００６１】
制御部３０は、上記の選択モードにより、床タイプに応じた床洗浄モードを設定した後、床タイプ設定確認モードを行う。これにより、設定された床洗浄モードが正しいかどうか、すなわち、吐水部１０と洗い場床５２０との相対位置設定が合っているかどうかを確認する。
【００６２】
図６（ａ）及び図６（ｂ）は、実施形態に係る洗い場洗浄装置における、床タイプ設定確認モードを例示する平面図である。  
床タイプ設定確認モードにおいて、制御部３０は、吐水領域の移動を停止、または、床洗浄モードにおけるよりも狭い範囲で吐水領域を移動させて、洗い場床５２０の所定部にのみ洗浄水を吐水する。すなわち、床タイプ設定確認モードにおいて、吐水部１０は、回転を停止、または、床洗浄モードよりも狭い回転範囲で回転しながら、吐水を行う。
【００６３】
図６（ａ）の例では、洗い場床５２０の所定部位として排水口５２１付近のみに洗浄水が吐水される。このとき、吐水部１０は、吐水方向が排水口５２１へ向かう状態で回転を停止しながら洗浄水を吐水している、または、吐水方向が排水口５２１の周辺に向かう範囲内で回転しながら洗浄水を吐水している。
【００６４】
図６（ｂ）の例では、洗い場床５２０の所定部位として洗い場床５２０の隅部Ｃ１付近のみに洗浄水が吐水される。このとき、吐水部１０は、吐水方向が隅部Ｃ１へ向かう状態で停止しながら洗浄水を吐水している、または、吐水方向が隅部Ｃ１の周辺に向かう範囲内で回転しながら洗浄水を吐水している。
【００６５】
なお、「所定部位のみに洗浄水を吐水する」とは、吐水方向（吐水部１０の回転角度）を表すものであり、所定の部位（例えば排水口５２１又は隅部Ｃ１）と吐水部１０との間の領域にも洗浄水が吐水されていてもよい。
【００６６】
このように、床タイプ設定確認モードにおける吐水部１０の動作は、選択された床タイプ（床洗浄モード）に対応して、洗い場床５２０の所定部位のみに洗浄水が吐水されるように設定されている。このため、選択された床タイプが、実際の床タイプに合っていれば、床タイプ設定確認モードにおいて、洗浄水が所定部位に吐水される。一方、選択された床タイプが、実際の床タイプに合っていない場合は、床タイプ設定確認モードにおいて洗浄水は所定部位に吐水されない。したがって、床タイプ設定確認モードにおいて、所定部位に洗浄水が吐水されているかどうかを確認するだけで、床タイプの選択が正しいがどうか、すなわち、洗い場床５２０に対する吐水部１０（電動ノズル）の相対位置設定が合っているかどうかを判断できる。これにより、吐水部１０の相対位置設定が合っているかを容易に確認することが可能である。
【００６７】
また、床タイプ設定確認モードにおいて洗浄水が吐水されている時間（例えば５秒程度）は、床洗浄モードにおいて洗浄水が吐水されている時間（例えば５分程度）よりも短い。これにより、吐水部の相対位置設定が合っているかを短時間で確認することができる。このように、床タイプ設定確認モードにおいて洗浄水の吐水時間を短くすることにより、節水することができる。
【００６８】
制御部３０は、床タイプ設定確認モードを実行した後、さらに動作確認モードを実行する。  
図７は、実施形態に係る洗い場洗浄装置における、動作確認モードを例示する平面図である。
【００６９】
動作確認モードにおいて制御部３０は、床洗浄モードと同様に、例えば角度θ１程度の範囲を回転しながら洗い場床５２０の略全体に洗浄水を吐水するように吐水部１０を制御する。但し、動作確認モードにおいて吐水部１０が洗浄水を吐水する時間（例えば２０秒程度）は、床洗浄モードにおいて吐水部１０が洗浄水を吐水する時間よりも短い。つまり、動作確認モードにおける吐水部１０の平均回転速度は、床洗浄モードにおける吐水部１０の平均回転速度よりも高い。
【００７０】
床タイプ設定確認モードとは別に、動作確認モードを実行することによって、吐水部１０が全体として正常に動作するかを確認できる。すなわち、動作確認モードによって、洗い場床５２０の全体に、設定通りに洗浄水が吐水されるかどうかを確認することができる。動作確認モードにおける吐水時間は、床洗浄モードにおける吐水時間よりも短いため、吐水部１０が全体として正常に動作するかどうかの確認を短時間で行うことができる。
【００７１】
以上説明したように、制御部３０は、選択モード、床タイプ設定確認モード及び動作確認モードを実行し、その後、本洗浄モード（床洗浄モード）を実行する。これにより、多種の床タイプに対応して、効率の良い洗浄を行うことができる。
【００７２】
次に、排水口集中吐水モードについて説明する。  
図８は、実施形態に係る洗い場洗浄装置による、排水口の洗浄を例示する平面図である。  
排水口集中吐水モードは、床洗浄モードよりも狭い範囲で吐水領域を変化させて、排水口５２１及びその近傍のみに洗浄水を吐水する。すなわち、制御部３０は、排水口集中吐水モードにおいて、床洗浄モードよりも狭い回転範囲で回転しながら吐水するように吐水部１０を制御して、排水口５２１及びその近傍のみに洗浄水を吐水する。
【００７３】
図８の例では、吐水方向Ａが方向Ａ１から方向Ａ２までである角度θ２の範囲で吐水部１０を回転させている。角度θ２は、図３に示す角度θ１よりも小さい。例えば、吐水方向Ａが方向Ａ１であるとき、及び、方向Ａ２であるときに、洗浄水の広がり２１０は、上方から見て排水口５２１の少なくとも一部と重なる。すなわち、例えば、吐水部１０の回転角度が、排水口集中吐水モードの回転範囲内であるとき、排水口５２１の少なくとも一部に洗浄水が直接吐水される。
【００７４】
床洗浄モードにおいて洗い場床５２０上に洗浄水を吐水すると、洗い場床５２０の排水勾配に従って、洗浄水は排水口５２１へ流れる。これにより、排水口５２１にも洗浄水が供給される。しかし、排水口５２１の洗浄の観点からは、洗い場床５２０上を流れた洗浄水ではなく、排水口５２１に洗浄水を直接、集中的に吐水することが好ましい。そこで、実施形態においては、床洗浄モードを実行した後に排水口集中吐水モードを行う。排水口集中吐水モードにおいても、洗浄水として水道水及び除菌水のいずれを用いてもよい。
【００７５】
既に述べたとおり、洗い場床５２０には多種の床タイプがあり、例えば床サイズが変わると、吐水部１０と排水口５２１との相対位置関係が変化する。このため、床サイズが変わることによって、排水口５２１へ集中的に洗浄水が直接届きにくくなる場合がある。これに対して実施形態においては、排水口集中吐水モード時に吐水部１０を回転させて吐水領域を変化させるようにしたため、床タイプに応じて吐水部１０と排水口５２１との相対位置が変化した場合でも、洗浄水を排水口５２１の全体へ直接吐水することができる。これにより、様々な床サイズに対しても、洗い場床５２０を経由していないフレッシュな洗浄水を排水口の全体に満遍なく直接吐水することができる。
【００７６】
例えば、比較例の方法として、吐水部１０の回転を停止させた状態で、排水口５２１を含む広い範囲に洗浄水を吐水する方法も考えられる。しかし、この方法では、大流量の洗浄水が必要となる。洗浄水の種類（例えば次亜塩素酸含有水）によっては、大流量の洗浄水を生成することが困難な場合もあるため、吐水部１０の回転を停止させた状態で洗浄水を広範囲に吐水する方法は好ましくない。
【００７７】
また、別の比較例の方法として、床サイズに合うように制御部３０の設定を調整する方法も考えられる。しかし、この方法では、調整作業が必要になるとともに、吐水部１０の組み立て誤差などがあると洗浄水の吐水方向がずれるため、排水口５２１の一部に洗浄水が直接吐水されない恐れもある。このため、制御部３０の設定を床サイズに合わせても、吐水部１０の回転を停止させた状態で洗浄水を吐水する方法は好ましくない。
【００７８】
これらの比較例に対して、実施形態によれば、洗浄水の種類（流量）に依存せずに、吐水部１０の組み立て誤差などにより洗浄水の吐水方向がずれた場合であっても確実に排水口５２１の全体にフレッシュな洗浄水を満遍なく直接吐水することができる。
【００７９】
また、制御部３０は、排水口集中吐水モードにおいて、吐水領域を複数回、往復移動させて洗浄水を吐水する。例えば、吐水方向Ａを方向Ａ１から方向Ａ２まで変化させ、再び方向Ａ１に戻す回転動作を１往復とし、この回転運動を複数回実行させながら吐水部１０に洗浄水を吐水させる。
【００８０】
図９（ａ）〜図９（ｆ）は、排水口集中吐水モードにおける排水口を例示する平面図である。  
図９（ａ）〜図９（ｃ）、図９（ｅ）、図９（ｆ）は、それぞれ、排水口集中吐水モードを開始してから吐水部１０が１〜５往復したときの排水口５２１の様子を表す。
【００８１】
図９（ａ）〜図９（ｆ）に表したように、排水口５２１（排水トラップ）は、排水路へ繋がる孔５２１ｅを有する。排水口５２１へ流れてきた洗浄水は、孔５２１ｅを介して排水路へ排水される。図中の矢印は、洗浄水の流れる方向を模式的に表している。
【００８２】
また、この例では、吐水部１０は、洗浄水として霧状の除菌水を吐水する。図中のグレーで表した領域は、除菌水が付着している領域を表す。洗浄水として除菌水を吐水する場合には、除菌水を排水口５２１付近に滞留させて、除菌水が菌に作用する時間を確保することが好ましい。しかし、排水口５２１に一度に供給される除菌水の量が多いと、除菌水は水膜を形成しやすい。水膜状の除菌水は、滞留せずに流れてしまいやすい。
【００８３】
これに対して、実施形態においては、吐水部１０が複数回、吐水領域を往復移動させながら除菌水を吐水することにより、吐水部１０が１往復する間に排水口５２１に供給される除菌水の量を抑えている。これにより、例えば、図９（ａ）及び図９（ｂ）に示すように１及び２往復目では、除菌水は未だ水膜を形成せず、図９（ｃ）に示すように３往復目で水膜が形成される。これにより、図９（ａ）〜図９（ｃ）に示した３往復の間に吐水される除菌水の量と同じ量の除菌水が１往復で吐水される場合に比べて、除菌水を効率的に排水口５２１に滞留させることができる。これにより、より少ない量の除菌水で排水口を効率的に洗浄することができる。
【００８４】
また、排水口集中吐水モードにおいて除菌水が吐水されているときの吐水領域の移動速度を、床洗浄モード（床吐水モード）における吐水領域の移動速度よりも高くする。すなわち、排水口集中吐水モードにおいて吐水部１０が１往復する間の吐水部１０の平均回転速度は、床洗浄モードにおける吐水部１０の平均回転速度よりも高い。このように、排水口集中吐水モード時は吐水部１０を比較的高速で回転させることにより、１箇所に連続して除菌水が撒かれる時間を短くして、水膜が形成されるまでの時間を長くできる。したがって、除菌水を長時間、排水口５２１に滞留させることができる。これにより、排水勾配が洗い場床に比べて急な排水口５２１に対しても、より少ない量の除菌水で効率的に洗浄することができる。なお、排水口集中吐水モードにおいて、吐水部１０が吐水をしている間は、除菌水の瞬間流量は例えば一定とされる。
【００８５】
また、制御部３０は、排水口集中吐水モードの途中で、吐水部１０からの除菌水の吐水を一時停止させる。この例では、図９（ｄ）に示すように、３往復目と４往復目との間において、吐水部１０からの吐水を停止させている。排水口５２１上に水膜が形成された状態では、吐水された除菌水は水膜と連結してすぐに流れてしまいやすい。これに対して、実施形態においては、吐水を一時停止させている間に水膜が孔５２１ｅへ流れる。これにより、吐水を再び開始したときに撒かれた除菌水が排水口５２１上に滞留しやすくなる。このように排水口集中吐水モードの途中で吐水を一時停止させることにより、一時停止を行わずに同じ量の除菌水を吐水する場合に比べて、除菌水を効率的に排水口５２１に滞留させることができる。これにより、より少ない量の除菌水で排水口５２１を効率的に洗浄することができる。
【００８６】
以下、床洗浄モードの具体例について説明する。  
図１０（ａ）および図１０（ｂ）は、実施形態に係る洗い場洗浄装置における床洗浄モードを例示する平面図である。  
図１０（ａ）は、吐水部１０を例示する平面図であり、図１０（ｂ）は、洗い場床５２０を例示する平面図である。
【００８７】
図１０（ａ）に表したように、この例では、吐水部１０が回転した角度（回転角度）を、互いに異なる５つの範囲Ｄ１〜Ｄ５に分割している。図１０（ｂ）は、範囲Ｄ１〜Ｄ５のそれぞれに対応した、洗い場床５２０の領域Ｒ１〜Ｒ５を表している。吐水部１０は、反時計回りに回転し、領域Ｒ１、Ｒ２、Ｒ３、Ｒ４、Ｒ５の順に各領域に洗浄水を吐水する。
【００８８】
回転角度が範囲Ｄ１内にある状態（状態ＳＴ１と称する）では、領域Ｒ１に洗浄水が吐水される。回転角度が範囲Ｄ２内にある状態（状態ＳＴ２と称する）では、領域Ｒ２に洗浄水が吐水される。
【００８９】
状態ＳＴ１における吐水方向に沿った吐水部１０から壁面５４０までの距離は、状態ＳＴ２における吐水方向に沿った吐水部１０から壁面５４０までの距離よりも短い。このとき、制御部３０は、状態ＳＴ１において吐水される洗浄水の総量が、状態ＳＴ２において吐水される洗浄水の総量よりも少なくなるようにする。
【００９０】
同様にして、回転角度が範囲Ｄ３内にある状態（状態ＳＴ３と称する）では、領域Ｒ３に洗浄水が吐水される。状態ＳＴ３における吐水方向に沿った吐水部１０から壁面５４０までの距離は、状態ＳＴ２における吐水方向に沿った吐水部１０から壁面５４０までの距離よりも長い。このときには、制御部３０は、状態ＳＴ３において吐水される洗浄水の総量を、状態ＳＴ２において吐水される洗浄水の総量よりも多くする。
【００９１】
このように、吐水部１０と壁面５４０との間の距離が相対的に短い回転角度領域において吐水される洗浄水の総量は、吐水部１０と壁面５４０との間の距離が相対的に長い回転角度領域において吐水される洗浄水の総量よりも少なくされる。
【００９２】
回転角度が範囲Ｄ４内にある状態（状態ＳＴ４と称する）では、領域Ｒ４に洗浄水が吐水される。状態ＳＴ４における吐水方向に沿った吐水部１０から壁面５４０までの距離は、状態ＳＴ２における吐水方向に沿った吐水部１０から壁面５４０までの距離と、同じである。また、領域Ｒ４と排水口５２１との間の距離は、領域Ｒ２と排水口５２１との間の距離よりも長い。すなわち、領域Ｒ４は、領域Ｒ２よりも洗い場床５２０の上流側に位置する。この場合には、制御部３０は、状態ＳＴ２において吐水される洗浄水の総量が、状態ＳＴ４において吐水される洗浄水の総量よりも少なくなるようにする。
【００９３】
このように、吐水部１０と壁面５４０との間の距離が同じ場合においては、洗い場床５２０の排水勾配の下流側に吐水される洗浄水の量は、洗い場床５２０の排水勾配の上流側に吐水される洗浄水の量よりも少なくされる。
【００９４】
吐水部１０から吐水される洗浄水の瞬間流量（単位時間当たりの流量）は、一定である。そして、制御部３０は、吐水方向に沿った吐水部１０から壁面５４０までの距離に応じて、吐水部１０の平均回転速度を変化させる。これにより、洗い場床の部位に応じて、吐水される洗浄水の総量を変化させることができる。例えば、状態ＳＴ１における吐水部１０の平均回転速度は、状態ＳＴ３における吐水部１０の平均回転速度よりも高い。これにより、状態ＳＴ１において吐水される洗浄水の総量は、状態ＳＴ３において吐水される洗浄水の総量よりも少なくなる。
【００９５】
吐水部１０が回転と停止とを繰り返しながら洗浄水を吐水する領域（洗浄領域）を変化させる場合には、吐水部１０が停止する時間の長さを変化させることで、平均回転速度を変化させることができる。例えば、吐水部１０が一度に回転する角度および時間を一定とし、回転動作が行われる時間的な周期を変化させることで平均回転速度を変化させることができる。例えば、状態ＳＴ１における回転動作の周期は、状態ＳＴ３における回転動作の周期よりも短い。
【００９６】
以上説明したように、床洗浄モードでは、吐水部１０を回転させることで洗浄領域を変化させて、洗い場床５２０の略全体に洗浄水を撒く。この際、吐水部１０を回転させると、吐水方向に沿った吐水部１０と壁面５４０との間の距離が変化する。このような状態において、全方向に同じように吐水を行うと、吐水方向に沿った吐水部１０と壁面５４０との間の距離の変化に応じて、洗い場床５２０上では洗浄水が過剰に吐水される領域が発生してしまう。このため、大量の洗浄水が必要となってしまう。
【００９７】
一方、吐水部１０から洗い場床５２０上に直接届く洗浄水だけでなく、壁面５４０に当たった後に洗い場床５２０上を流れる洗浄水も存在する。そこで、このような壁面５４０に当たって流れる洗浄水も利用して洗浄を行うことで、少量の洗浄水で洗い場床５２０の全体を洗浄することができる。
【００９８】
例えば、状態ＳＴ１のように、吐水方向に沿った吐水部１０と壁面５４０との間の距離が短い場合には、吐水部１０から吐水されて壁面５４０に当たってから洗い場床５２０上に流れる洗浄水の量が比較的多い。このため、状態ＳＴ１において吐水される洗浄水の総量を少なくしても、単位面積あたりに供給される洗浄水の総量を維持することができる。
【００９９】
したがって、実施形態によれば、洗浄水の吐水方向に沿った吐水部１０から壁面５４０までの距離が短いときに、必要以上の洗浄水が吐水されることを防ぐことができる。これにより、洗い場床５２０の全体に吐水される洗浄水の総量を少なくすることができる。
【０１００】
さらに、実施形態においては、洗浄水の吐水方向に沿った吐水部１０から壁面５４０までの距離が同じときには、洗い場床５２０の上流側に吐水される洗浄水の量を、洗い場床５２０の下流側に吐水される洗浄水の量よりも少なくしている。洗い場床５２０の上流側に吐水された洗浄水は、洗い場床５２０の下流側に流れる。このため、洗い場床５２０の上流側に吐水された洗浄水を利用して、洗い場床５２０の下流側も洗浄することが可能である。これにより、洗い場床５２０の下流側に吐水される洗浄水の量を少なくしても、洗い場床５２０の全体を洗浄することができる。
【０１０１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、吐水部１０、制御部３０、吐水制御手段１８、洗い場床５２０、排水口５２１などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０２】
１０ 吐水部、  １０ｘ 回転軸、  １１ 第１の吐水口、  １２ 第２の吐水口、  １７ モータ、  １８ 吐水制御手段、  ３０ 制御部、  ３５ 操作部、  ５１ 給水管、  １００ 洗い場洗浄装置、  ５００ 浴室、  ５１０ 浴槽、  ５２０ 洗い場床、  ５２０ａ、５２０ｂ 縁部、  ５２１ 洗い場排水口、  ５２１ｅ 孔、  ５３０ カウンタ、  ５３１ 天板、  ５３２ 下カバー、  ５４０ 壁面、  ５４１〜５４４ 第１〜第４の壁、  Ａ、Ａ１、Ａ２ 吐水方向、  Ｃ１ 隅部、  Ｄ１〜Ｄ５ 範囲、  Ｒ１〜Ｒ５ 領域
【図１】
0006682998.tif 000002
【図２】
0006682998.tif 000003
【図３】
0006682998.tif 000004
【図４】
0006682998.tif 000005
【図５】
0006682998.tif 000006
【図６】
0006682998.tif 000007
【図７】
0006682998.tif 000008
【図８】
0006682998.tif 000009
【図９】
0006682998.tif 000010
【図１０】
0006682998.tif 000011